(57)【要約】【課題】短時間に照明器具タイプを選択することの可能な照明制御装置を提供すること。【解決手段】記憶部２は、調光率とＰＷＭ信号のデューティ比を変化させる調光信号の関係を表す調光データテーブルが予め照明負荷別に記憶され、調光データテーブルのデータを制御部４に出力するものである。明るさセンサ部３は、照明負荷の光出力に応じた電圧を制御部４に出力するものである。制御部４は、予め定めた２つの異なるデューティ比の調光信号を出力して、その２点での明るさセンサ部の出力を読み取り、その値によって照明器具タイプを選択するものである。調光信号出力部５は、制御部４からの調光信号を増幅して照明器具７に出力する増幅器である。【選択図】        図１
2004178945.tif 000002
【特許請求の範囲】
【請求項１】
照明器具タイプ別に照明負荷の調光率と調光信号（ＰＷＭ信号）のデューティ比との関係を表す調光データテーブルが予め記憶された記憶部と、照明負荷の光出力を検出する明るさセンサ部と、所定の調光信号を出力し、それに対応する明るさセンサ部の出力及び調光データテーブルから制御対象の照明器具の照明器具タイプを選択し、選択した照明器具タイプに対応する調光データテーブルに基づいて調光制御を行う制御部と、制御部からの調光信号を増幅して照明器具に出力する調光信号出力部と、を有する照明制御装置において、
制御部は、予め定めた２つの異なるデューティ比の調光信号を出力して、その２点での明るさセンサ部の出力を読み取り、その値によって照明器具タイプを選択するものであることを特徴とした照明制御装置。
【請求項２】
前記制御部は、２つの異なるデューティ比の調光信号に対応する明るさセンサ部の出力を読み取り、その２つの出力の比を算出し、この比と、調光データテーブルに基づいて得た閾値との比較又は、この比が所定の範囲であるか否かにより判断して、照明器具タイプを選択するものであることを特徴とする請求項１記載の照明制御装置。
【請求項３】
前記制御部は、電源投入時に照明器具タイプの選択を行うものであることを特徴とする請求項１又は請求項２記載の照明制御装置。
【請求項４】
前記制御部は、前記記憶部が制御対象とする照明器具に該当する調光データテーブルを有しない場合に、デューティ比を順次変化させて調光信号を出力し、その時々の調光信号における明るさセンサ部の出力を順次読み取って調光データテーブルを作成して記憶部に記憶させ、その後は、記憶部から調光データテーブルを読み込んで調光制御を行うものであることを特徴とする請求項１乃至請求項３のいずれかに記載の照明制御装置。
【発明の詳細な説明】
【０００１】
【発明の属する技術分野】
本発明は、照明制御装置、特に調光制御を行う照明制御装置に関するものである。
【０００２】
【従来の技術】
従来、この種の照明制御装置としては、特開２００１−１５２７１に示すものがある。このものは、図５に示すように操作表示部を有する照明制御盤１０と、該照明制御盤１０と伝送線１１を介して接続され明るさを検知する明るさセンサ端末器１２と、前記照明制御盤１０と伝送線１１を介して接続される照明器具１５へ調光信号を出力する調光制御端末器１３と、前記照明制御盤１０への初期設定を行う初期設定ツール１４とからなる照明制御装置において、前記照明制御盤１０内に予め照明器具１５の特性である光出力比と調光信号比との関係データを内蔵したデータテーブル、及び前記調光制御端末器４に接続されている照明器具１５のタイプを自動的に識別し、それに対応する光出力比と調光信号比の関係データを選択する手段を設けたものである。
【０００３】
【特許文献１】特開２００１−１５２７１号公報
【０００４】
【発明が解決しようとする課題】
しかしながら、上記従来例においては、調光信号（調光出力値）を０％から１００％まで、１％ステップで変化させ、各調光信号に対して求めた光出力比と予めデータテーブルに登録されている光出力比との差を求め、この差がある一定範囲内にあるかどうかで、器具の選択を行っている。このため、照明器具の選択に長時間を要することが懸念される。本発明は、かかる事由に鑑みてなしたものであり、その目的とするところは、短時間に照明器具のタイプを選択することの可能な照明制御装置を提供することである。
【０００５】
【課題を解決するための手段】
請求項１に係る発明は、照明器具タイプ別に照明負荷の調光率と調光信号（ＰＷＭ信号）のデューティ比との関係を表す調光データテーブルが予め記憶された記憶部と、照明負荷の光出力を検出する明るさセンサ部と、所定の調光信号を出力し、それに対応する明るさセンサ部の出力及び調光データテーブルから制御対象の照明器具の照明器具タイプを選択し、選択した照明器具タイプに対応する調光データテーブルに基づいて調光制御を行う制御部と、制御部からの調光信号を増幅して照明器具に出力する調光信号出力部と、を有する照明制御装置において、
制御部は、予め定めた２つの異なるデューティ比の調光信号を出力して、その２点での明るさセンサ部の出力を読み取り、その値によって照明器具タイプを選択するものであることを特徴とする。
【０００６】
請求項２に係る発明は、請求項１記載の発明において、前記制御部は、２つの異なるデューティ比の調光信号に対応する明るさセンサ部の出力を読み取り、その２つの出力の比を算出し、この比と、調光データテーブルに基づいて得た閾値との比較又は所定の範囲であるか否かにより判断して、照明器具タイプを選択するものであることを特徴とする。
【０００７】
請求項３に係る発明は、請求項１又は請求項２記載の発明において、前記制御部は、電源投入時に照明器具タイプの選択を行うものであることを特徴とする。
【０００８】
請求項４に係る発明は、請求項１乃至請求項３のいずれかに記載の発明において、前記制御部は、前記記憶部が制御対象とする照明器具に該当する調光データテーブルを有しない場合に、デューティ比を順次変化させて調光信号を出力し、その時々の調光信号における明るさセンサ部の出力を順次読み取って調光データテーブルを作成して記憶部に記憶させ、その後は、記憶部から調光データテーブルを読み込んで調光制御を行うものであることを特徴とする。
【０００９】
【発明の実施の形態】
（第１の実施形態）
第１の実施形態を、図１及び図２に基づいて説明する。図１は、第１の実施形態のブロック図である。図２は、調光信号のデューティ比と、調光率の関係を示すグラフである。図３は、第１の実施形態における器具タイプの判別のフローである。
【００１０】
図１に示すように、照明制御装置１は、記憶部２と、明るさセンサ部３と、制御部４と、調光信号出力部５と、を有している。また、照明制御装置１は、照明負荷６を有する照明器具７に接続されている。
【００１１】
記憶部２は、図２に示す調光率とＰＷＭ信号のデューティ比を変化させる調光信号の関係を表す調光データテーブルが予め照明負荷別に記憶され、調光データテーブルのデータを制御部４に出力するものである。
【００１２】
明るさセンサ部３は、照明負荷６の光出力に応じた電圧を制御部４に出力するものである。制御部４は、予め定めた２つの異なるデューティ比の調光信号を出力して、その２点での明るさセンサ部の出力を読み取り、その値によって照明器具タイプを選択するものである。調光信号出力部５は、制御部４からの調光信号を増幅して照明器具７に出力する増幅器である。そして照明制御装置１は、前述のように照明器具７に接続される。照明器具７は、たとえば直管型の蛍光ランプ等の照明負荷６と、調光信号出力部５からの調光信号を受けて、照明負荷６へ電力を供給して点灯、制御する点灯回路（図示はしない）を備えるものである。
【００１３】
以上の構成において、表１、図２に示すように記憶部２が照明器具タイプＡ、照明器具タイプＢ、照明器具タイプＣの３つの調光データテーブルを有している場合の動作を図３に基づいて説明する。なお、表１は各照明器具タイプに対応する調光率の範囲とデューティ比の範囲を示したものである。
【００１４】
【表１】
2004178945.tif 000003
【００１５】
電源投入後、制御部４は、デューティ比１０％の調光信号を調光信号出力部５に出力する。調光信号出力部５は、デューティ比は変えずに調光信号を所定の電圧振幅まで増幅し、照明器具７に対して調光信号を出力する。照明器具７は、この調光信号を受けて、照明負荷６を点灯する。この時、制御部４は、明るさセンサ部３の出力（電圧）Ｅ１を読み取り、照明器具タイプＡの調光率１００％時の値として記憶する。つぎに、制御部４は、デューティ比８５％の調光信号を出力し、前述と同様に、この時の明るさセンサ部３の出力Ｅ２を読み取る。制御部４は、この値と先に記憶した値との比Ｅ２／Ｅ１を算出し、この比が閾値である６５％以上であれば、照明器具７の照明器具タイプは、タイプＡであると判断する。一方、この比が、約６５％よりも低いたとえば４５％の場合には、照明器具タイプＡではないと判断する。つぎに、制御部４は、照明器具７が、照明器具タイプＢであるか照明器具タイプＣであるかの選択を行う。制御部４は、上記と同様にデューティ比５％の調光信号を調光信号出力部５へ送り、この時の明るさセンサ部３の出力Ｅ３を読み取る。つぎに、制御部４は、デューティ比８５％の調光信号を調光信号出力部５に出力し、この時の明るさセンサ部３の出力Ｅ４を読み取る。制御部４は、デューティ比５％のときの明るさセンサ部３の出力Ｅ３とこのデューティ比８５％のときの明るさセンサ部３の出力Ｅ４との比Ｅ４／Ｅ３を算出する。そして、比Ｅ４／Ｅ３の値が閾値である２５％以上であれば、照明器具７の照明器具タイプは、照明器具タイプＢであると判断する。また、比Ｅ４／Ｅ３の値が、閾値である２５％よりも低い値たとえば１０％の場合には、照明器具７の照明器具タイプは、照明器具タイプＢでないと判断し、残りの照明器具タイプＣであると判断する。
【００１６】
以上のように、制御部４は、照明器具７の照明器具タイプを選択し、以降、調光を行う場合には、選択した照明器具タイプに応じた調光データテーブルを用いる。たとえば、制御部４が、照明器具７のタイプを照明器具タイプＣと選択した場合に、調光率１００％を設定すると、制御部４は照明器具タイプＣの調光データテーブルを参照し、デューティ比５％の調光信号を出力する。また、調光率を５％に設定すると、デューティ比１００％の調光信号を出力する。
【００１７】
また、制御部４は、制御対象の照明器具７のタイプを選択した場合には、照明器具７に対応する照明器具タイプを記憶部２に記憶させる。以降、電源遮断後に、電源を再投入する場合には、記憶部２から照明器具７に対応する照明器具タイプを読み出して、その照明器具タイプに対応する調光テーブルを用いて調光制御を行う。
【００１８】
以上のように、制御部は、予め定めた２つの異なるデューティ比の調光信号を出力して、その２点での明るさセンサ部の出力を読み取り、その値によって照明器具タイプを選択するようにしたので、短時間に照明器具のタイプを選択することが可能となる。また、制御部４は、対象とする照明器具７の電源投入時に照明器具タイプの選択を行うので、使用者に照明器具のタイプを選択させる余計な負担を強いることがない。
【００１９】
なお、本実施形態においては、照明器具タイプの数及び調光データテーブルの数は３つに限らず、２つ以上であればよい。また、調光データテーブルは、記憶部２又は制御部４のどちらに記憶させてもよい。
（第２の実施形態）
第２の実施形態を、図２及び図４に基づいて説明する。図４は、第２の実施形態における器具タイプの判別のフローである。
【００２０】
電源投入後から、明るさセンサ部３の出力の比を算出するまでの制御部４の動作は、第１の実施形態と同じであるが、明るさセンサ部３の２つの出力の比が所定の範囲であるか否かで照明器具タイプを判断する点が異なる。
【００２１】
電源投入後、制御部４は、デューティ比１０％の調光信号を調光信号出力部５に出力する。調光信号出力部５は、デューティ比は変えずに調光信号を所定の電圧振幅まで増幅し、照明器具７に対して調光信号を出力する。照明器具７は、この調光信号を受けて、照明負荷６を点灯する。この時、制御部４は、明るさセンサ部３の出力（電圧）Ｅ１を読み取り、照明器具タイプＡの調光率１００％時の値として記憶する。つぎに、制御部４は、デューティ比８５％の調光信号を出力し、前述と同様に、この時の明るさセンサ部３の出力Ｅ２を読み取る。制御部４は、この値と先に記憶した値との比Ｅ２／Ｅ１を算出し、その比Ｅ２／Ｅ１が６５％から６５×１．３％の範囲に入っている場合には、照明器具７は照明器具タイプＡであると判断する。また、その比Ｅ２／Ｅ１が６５％から６５×１．３％の範囲に入っていない場合には、制御部４は、制御対象とする照明器具７が照明器具タイプＡではないと判断する。
【００２２】
つぎに、制御対象とする照明器具７が照明器具タイプＡではないと判断された場合には、制御対象とする照明器具７が照明器具タイプＢであるかどうかについて判断する。制御部４は、上記と同様にデューティ比５％の調光信号を調光信号出力部５へ送り、この時の明るさセンサ部３の出力Ｅ３を読み取る。つぎに、制御部４は、デューティ比８５％の調光信号を調光信号出力部５に出力し、この時の明るさセンサ部３の出力Ｅ４を読み取る。制御部４は、デューティ比５％のときの明るさセンサ部３の出力Ｅ３とこのデューティ比８５％のときの明るさセンサ部３の出力Ｅ４との比Ｅ４／Ｅ３を算出する。その比Ｅ４／Ｅ３が２５％から２５＋１０％の範囲に入っている場合には、照明器具７は照明器具タイプＢであると判断する。また、その比Ｅ４／Ｅ３が２５％から２５＋１０％の範囲に入っていない場合には、制御部４は、制御対象とする照明器具７が照明器具タイプＢではないと判断する。
【００２３】
つぎに、制御対象とする照明器具７が照明器具タイプＢではないと判断された場合には、制御対象とする照明器具７が照明器具タイプＣであるかどうかについて判断する。明るさセンサ部３の出力の比Ｅ４／Ｅ３が、その比Ｅ４／Ｅ３が５％から５＋１０％の範囲に入っている場合には、照明器具７は照明器具タイプＣであると判断する。また、その比Ｅ４／Ｅ３が５％から５＋１０％の範囲に入っていない場合には、制御部４は、制御対象とする照明器具７が照明器具タイプＣではないと判断する。
【００２４】
以上に示した手順により、照明器具７のタイプが判別できた場合には、各照明器具タイプの調光データテーブルを用いて調光制御を行う。
【００２５】
ここで、制御対象としている照明器具７が上記の照明器具タイプＡ、Ｂ、Ｃのいずれにも該当しない場合には、予め記憶していた３つの調光データテーブルのいずれも使用せず、制御対象としている照明器具７に対応する調光データテーブルが存在しないことをＬＥＤ（図示はしない）の表示やブザー（図示はしない）を鳴らすことによって使用者に知らせる。
【００２６】
なお、本実施形態において、明るさセンサ部３の出力の比は、上記に限るものではない。
（第３の実施形態）
第３の実施形態を、表２及び表３に基づいて説明する。表２は、照明器具タイプが照明器具タイプＡ、Ｂ又はＣの、いずれにも該当しない場合の調光信号のデューティー比と、明るさセンサ部３の出力の比の関係を示したものである。表３は、表２において重複する明るさセンサ部３の出力の比を削除したものである。
【００２７】
前記第２の実施形態において、照明器具タイプが照明器具タイプＡ、Ｂ又はＣの、いずれにも該当しない場合に、制御部４は、デューティ比を０％から１００％まで、１％づつ順次変化させ、その時々のデューティ比における明るさセンサ部３の出力を読み取り、順次、記憶部２に記憶する。これにより照明器具タイプに対応する調光データテーブルを作成する。ここで、表３に示すようにデューティ比を０％から１００％まで、１％づつ順次変化させた場合には、明るさセンサ部３の出力が重複するものが存在する。この場合には、表３に示すように重複するデータを削除する。これにより、制御対象とする照明器具７の調光率と調光信号のデューティ比との関係を表す調光データテーブルが作成される。この調光データテーブルは、記憶部２が記憶していた照明器具タイプＡ、Ｂ又はＣの調光データテーブルとは異なる新規の調光データテーブルである。
【００２８】
【表２】
2004178945.tif 000004
【００２９】
【表３】
2004178945.tif 000005
【００３０】
以上のようにしたので、制御対象とする照明器具７に対応する調光データテーブルが、存在しない場合においても、照明器具７に対応する調光データテーブルを作成することにより、調光制御を行うことができるようになる。また、記憶部２に予め記憶されていた調光データテーブルは、照明負荷単体でのものであったが、上記の方法で作成した調光データテーブルは、照明器具込みの場合の調光データテーブルとなる。この場合、個々の照明器具に対応する調光データテーブルを作成することになるので、より精度の高い調光データテーブルを作成することが可能である。
【００３１】
【発明の効果】
請求項１に係る発明は、照明器具タイプ別に照明負荷の調光率と調光信号（ＰＷＭ信号）のデューティ比との関係を表す調光データテーブルが予め記憶された記憶部と、照明負荷の光出力を検出する明るさセンサ部と、所定の調光信号を出力し、それに対応する明るさセンサ部の出力及び調光データテーブルから制御対象の照明器具の照明器具タイプを選択し、選択した照明器具タイプに対応する調光データテーブルに基づいて調光制御を行う制御部と、制御部からの調光信号を増幅して照明器具に出力する調光信号出力部と、を有する照明制御装置において、
制御部は、予め定めた２つの異なるデューティ比の調光信号を出力して、その２点での明るさセンサ部の出力を読み取り、その値によって照明器具タイプを選択するものであるようにしたので、選択を判断するデータ数が少なく済み、短時間に照明器具のタイプを選択することが可能となる。
【００３２】
請求項２に係る発明は、請求項１記載の発明において、前記制御部は、２つの異なるデューティ比の調光信号に対応する明るさセンサ部の出力を読み取り、その２つの出力の比を算出し、この比と、調光データテーブルに基づいて得た閾値との比較又は所定の範囲であるか否かにより判断して、照明器具タイプを選択するものであるようにしたので、２つの明るさセンサ部の出力の比を用いて短時間に照明器具のタイプを選択することが可能となる。
【００３３】
請求項３に係る発明は、請求項１又は請求項２記載の発明において、前記制御部は、電源投入時に照明器具タイプの選択を行うものであるようにしたので、使用者に照明器具タイプの設定等の余計な負担を強いることがない。
【００３４】
請求項４に係る発明は、請求項１乃至請求項３のいずれかに記載の発明において、前記制御部は、前記記憶部が制御対象とする照明器具に該当する調光データテーブルを有しない場合に、デューティ比を順次変化させて調光信号を出力し、その時々の調光信号における明るさセンサ部の出力を順次読み取って調光データテーブルを作成して記憶部に記憶させ、その後は、記憶部から調光データテーブルを読み込んで調光制御を行うものであるようにしたので、制御対象とする照明器具に対応する調光データテーブルが、存在しない場合においても、調光制御を行うことができるようになる。
【図面の簡単な説明】
【図１】照明制御装置及び照明器具のブロック図である。
【図２】調光信号のデューティ比と、調光率の関係を示すグラフである。
【図３】第１の実施形態における器具タイプの判別のフローである。
【図４】図４は、第２の実施形態における器具タイプの判別のフローである。
【図５】従来例を示す図である。
【符号の説明】
１    照明制御装置
２    記憶部
３    明るさセンサ部
４    制御部
５    調光信号出力部
６    照明負荷
７    照明器具
【図１】
2004178945.tif 000006
【図２】
2004178945.tif 000007
【図３】
2004178945.tif 000008
【図４】
2004178945.tif 000009
【図５】
2004178945.tif 000010